(57)【特許請求の範囲】
【請求項１】
重量の測定対象を測定ユーザとして登録する登録手段と、
前記登録された測定ユーザに対応する測定モードとして、１回測定した重量値を測定結果とする第１測定モード、または、２回測定した重量値の差分を測定結果とする第２測定モードの設定、変更を行う測定モード設定手段と、
測定ユーザを特定する測定ユーザ特定手段と、
前記特定した測定ユーザに対し、前記設定された測定モードによる測定を行う測定手段と、
前記測定手段による測定結果を、前記特定した測定ユーザに対する測定履歴として記憶する測定履歴記憶手段と、を備え、
前記測定履歴記憶手段は、測定ユーザに対する測定モードが変更された場合に、モード変更前の測定履歴をモード変更後も引き継ぐ、
ことを特徴とする生体情報測定装置。
【請求項２】
前記測定手段は、第１測定モードにおいて、さらに測定ユーザの生体インピーダンスを測定し、
前記測定履歴記憶手段は、前記測定した生体インピーダンスを測定履歴として記憶する、
ことを特徴とする請求項１に記載の生体情報測定装置。
【請求項３】
前記測定ユーザ特定手段は、測定した重量値および生体インピーダンスと、各測定ユーザに対応する測定履歴の重量値および生体インピーダンスとから測定ユーザを特定する、
ことを特徴とする請求項２に記載の生体情報測定装置。
【請求項４】
前記測定ユーザを選択する測定ユーザ選択手段を備え、
前記測定ユーザ特定手段は、選択された測定ユーザを特定する、
ことを特徴とする請求項１、または請求項２に記載の生体情報測定装置。
【発明の詳細な説明】
【技術分野】
【０００１】
本発明は、体重や体組成等の生体情報を測定する生体情報測定装置に関する。
【背景技術】
【０００２】
近年、自己の健康や体調の管理等を目的として、体重を測定することに加え、生体インピーダンスを測定し、この測定値と予め登録された身長、性別等の基礎情報とから体脂肪率を算出し、体重と併せて表示する生体情報測定装置が広く使用されている。また、体重と体脂肪率に加え、測定した体重と生体インピーダンスと登録した基礎情報から、基礎代謝や内臓脂肪率、身体年齢等の各種体組成も算出し表示するようにした生体情報測定装置も存在している。
【０００３】
特許文献１には、体重演算部で演算した体重（現在の体重）と、記憶部が記憶している体重（過去の体重）から体重の変動量を演算して出力し、さらにグラフ（横軸が時間、縦軸が体重変動量で）として表示部に表示する技術について記載されている。
また、特許文献２には、第１の重量測定値（１回目の体重測定値）と第２の重量測定値（２回目の体重測定値）とを比較して小さい方の重量測定値を第１の第１の体重とし、また、第１の重量測定値と第２の重量測定値との差分の絶対値を第２の体重とし、当該２つの体重を同時に表示するする技術が記載されている。
【０００４】
ここで、単独で体重を計測することができない測定対象（たとえば、生後間もない赤ちゃんや負傷者など）の体重を測定する場合、たとえば、第三者が測定対象を抱きかかえて一緒に測定計に乗る（載る）ことで計測を行う専用の設定（たとえば、「抱っこ」モードといった専用の測定モード）をユーザ登録時に選択・登録して測定を行う。
そして、このユーザ設定で登録された専用の測定モードは、測定対象の成長あるいは怪我の完治といった状況変化に応じて、単独で計測する計測方法である通常の測定モードへと登録が切り替えられて、測定が続けられる。
このとき、従来では、それまでのユーザ登録とは別に、新たなユーザとしてユーザ登録を行う必要があった。そのため、専用の測定モードで（すなわち、抱きかかえられて）計測していた時期の履歴（測定値）と、以後計測される履歴は繋がらず、同一の測定対象であるにもかかわらず、計測履歴を一貫して（連続して）保存することができなかった。
【先行技術文献】
【特許文献】
【０００５】
【特許文献１】特開平６−１６７３８２号公報
【特許文献２】特開２０１３−１１３８２６号公報
【発明の概要】
【発明が解決しようとする課題】
【０００６】
本発明は、単独での計測が難しいために抱きかかえるなどして計測していた（すなわち、抱きかかえる前と後の測定値の差分を算出していた）測定結果と、単独で計測するようになった以降の測定結果とを、連続して記憶する生体情報測定装置を提供することを目的とする。
【課題を解決するための手段】
【０００７】
（１）請求項１に記載の発明では、重量の測定対象を測定ユーザとして登録する登録手段と、前記登録された測定ユーザに対応する測定モードとして、１回測定した重量値を測定結果とする第１測定モード、または、２回測定した重量値の差分を測定結果とする第２測定モードの設定、変更を行う測定モード設定手段と、測定ユーザを特定する測定ユーザ特定手段と、前記特定した測定ユーザに対し、前記設定された測定モードによる測定を行う測定手段と、前記測定手段による測定結果を、前記特定した測定ユーザに対する測定履歴として記憶する測定履歴記憶手段と、を備え、前記測定履歴記憶手段は、測定ユーザに対する測定モードが変更された場合に、モード変更前の測定履歴をモード変更後も引き継ぐ、ことを特徴とする生体情報測定装置を提供する。
（２）請求項２に記載の発明では、前記測定手段は、第１測定モードにおいて、さらに測定ユーザの生体インピーダンスを測定し、前記測定履歴記憶手段は、前記測定した生体インピーダンスを測定履歴として記憶する、ことを特徴とする請求項１に記載の生体情報測定装置を提供する。
（３）請求項３に記載の発明では、前記測定ユーザ特定手段は、測定した重量値および生体インピーダンスと、各測定ユーザに対応する測定履歴の重量値および生体インピーダンスとから測定ユーザを特定する、ことを特徴とする請求項２に記載の生体情報測定装置を提供する。
（４）請求項４に記載の発明では、前記測定ユーザを選択する測定ユーザ選択手段を備え、前記測定ユーザ特定手段は、選択された測定ユーザを特定する、ことを特徴とする請求項１、または請求項２に記載の生体情報測定装置を提供する。
【発明の効果】
【０００８】
本発明によれば、測定方法が異なる測定結果を連続して記憶する生体情報測定装置を提供することができる。
【図面の簡単な説明】
【０００９】
【図１】生体情報測定装置の外観構成図である。
【図２】生体情報測定装置の機能ブロック図である。
【図３】測定者情報記憶部とモード記憶部（通常／差分）の記憶（保存）データの内容を概念的に表した説明図である。
【図４】測定結果履歴データを概念的に表した説明図である。
【図５】表示部の表示画面の詳細を表した説明図である。
【図６】ユーザ情報の設定処理（新規登録、変更、削除）動作の全体を表したフローチャートである。
【図７】ユーザ情報の新規登録処理動作の一例を表したフローチャートである。
【図８】ユーザ情報の登録内容変更処理動作の一例を表したフローチャートである。
【図９】第２モードで登録したユーザを指定して測定する測定処理動作の一例を表したフローチャートである。
【図１０】自動認識による測定処理動作の一例を表したフローチャートである。
【発明を実施するための形態】
【００１０】
以下、本発明の生体情報測定装置における好適な実施の形態について、図１から図１０を参照して詳細に説明する。
（１）実施形態の概要
本実施形態では、単独で計測することができない測定対象の一例として、赤ちゃんを例にとって説明する。
なお、単独で測定する通常の計測方法、つまり、１回の計測で体重を測定する方法を利用する場合を第１モード、一方、２回の計測値（体重）の差分あるいは差分の絶対値を計測結果とする方法を利用する場合を第２モード、として説明する。
【００１１】
本実施形態では、生体情報測定装置におけるユーザ登録（ユーザ設定）に、測定モードの選択・設定を追加する。
さらに、測定対象の状況に合わせて測定モードを「第２モード」から「第１モード」へ、あるいは「第１モード」から「第２モード」へ変更できるようにする。
これにより、同じユーザ登録情報で一貫して体重の履歴を管理することができるようになる。
つまり、生体情報測定装置は、ユーザ登録が「第２モード」で登録されている測定対象の測定においては、この「第２モード」が期間、計測した２回の測定値の差分（体重）を測定対象の体重として記録する。
そして後に、ユーザ登録が「第１モード」に変更された場合は、計測した１回の測定値（体重）を当該測定対象の体重として、「第２モード」で測定した値に続けて記録する。
このように、測定対象が自立して計測できないうちは「第２モード」の計測方法で計測し、その後、状況に合わせてユーザ登録の測定モードを「第２モード」から「第１モード」へ変更することで、同じユーザ登録情報で一貫して体重の履歴を管理することができるようになる。
【００１２】
なお、本実施形態では、測定した体重と生体インピーダンスおよび登録済みの基礎情報（身長、性別、生年月日）を使用して、ＢＭＩ（Ｂｏｄｙ  Ｍａｓｓ  Ｉｎｄｅｘ）、基礎代謝、体脂肪率、内蔵脂肪レベル（率）、身体年齢等の各種体組成を算出して体重と併せて表示する生体情報測定装置を対象とするが、少なくとも体重を測定する機能を備えた装置であれば適用対象とすることが可能である。
たとえば、体重、生体インピーダンス、基礎情報から体脂肪率だけを算出し、体重と併せて体脂肪率を表示する体脂肪計を対象とすることも可能である。
また、体重だけを測定して基礎情報からＢＭＩまたは／および基礎代謝を算出する生体情報測定装置であってもよい。
さらに、体重だけを測定し、保存済みの測定履歴（体重）と比較することで測定者を自動認識する体重計であってもよい。
【００１３】
（２）実施形態の詳細
図１は、本実施形態が適用される生体情報測定装置１の外観構成を表した図である。
図１に示されるように、本実施形態の生体情報測定装置１は装置本体１０を備えており、装置本体１０の測定面（上面）には、表示部１１、足の配置に合わせた左右上下の４カ所に測定用電極１２が配設されている。また、測定面には、４カ所の測定用電極１２のほぼ中央位置に、含む操作部１３が配置されている。但し、操作部１３は、装置本体１０上であれば他の場所に配置することも可能である。
【００１４】
装置本体１０の裏側には、図１に点線で示したように、４隅に重量センサ１５Ｌｆ、１５Ｌｂ、１５Ｒｆ、１５Ｒｂが配設され、さらに、図示しないが、装置本体１０の前側の両隅にはプッシュスイッチが配置されている。
また、図示しないが、装置本体１０の後方側面などに電源スイッチが配設されている。
【００１５】
装置本体１０は、被測定者が乗る、あるいは被測定物を載せる面（測定面）を備えた筐体である。
装置本体１０の内部には、図示しない電子回路、電源、電源保持部などが設けられている。
【００１６】
表示部１１は、液晶ディスプレイで構成されている。
本実施形態の表示部１１は、セグメント方式が採用されているが、ドットマトリクス方式の液晶ディスプレイを採用することも可能である。
表示部１１は、ユーザ登録の際に入力される入力情報や、体重や体脂肪率等の測定結果等が表示されるようになっている。
表示部１１の各表示項目と表示領域については後述する。
【００１７】
測定用電極１２Ｌｆ、１２Ｌｂ、１２Ｒｆ、１２Ｒｂは、装置本体１０に乗った被測定者の生体インピーダンスを測定するためのものであり、前後左右の合計４つが配設されている。
測定用電極１２Ｌｆ、１２Ｌｂ、１２Ｒｆ、１２Ｒｂにより、各電極間の抵抗値が測定されることで、測定者の生体インピーダンスが算出されるようになっている。
実際には、１の電極から高周波の微弱定電流が印加され、他の１の電極で電圧降下分が測定され、この電圧降下分から両電極間の抵抗値が測定される。
【００１８】
測定用電極１２Ｌｆ、１２Ｌｂ、１２Ｒｆ、１２Ｒｂは、その配置箇所により、左右に対するＬ、Ｒ、および、前後に対するｆ、ｂの添え字により区別して表示している。
測定に際して測定者は、左右の両足について、土踏まずを挟んだつま先側と踵側のそれぞれの箇所を、各測定用電極１２Ｌｆ、１２Ｌｂ、１２Ｒｆ、１２Ｒｂ上に乗せる。
なお、以下の説明では、測定用電極を指定する場合の符号として、前後は問わず左右のいずれかを指定する場合には１２Ｌ、１２Ｒと表記し、左右は問わず前後のいずれかを指定する場合には１２ｆ、１２ｂと表記し、前後左右のいずれも問わずに測定用電極のいずれか１つ、または全体を指定する場合には１２と表記することとする。
この添字の表記については、重量センサ１５Ｌｆ、１５Ｌｂ、１５Ｒｆ、１５Ｒｂについても同様である。
【００１９】
操作部１３は、操作キーとして、上キー１３ａ、下キー１３ｂ、左キー１３ｃ、右キー１３ｄ、そして、設定キー１４を備えている。
上下キー１３ａ、１３ｂおよび左右キー１３ｃ、１３ｄは、設定項目が無い表示画面において他の画面に遷移させ、設定項目がある表示画面において設定項目の内容（数値、項目）を変化させるためのキーである。
また、左右キー１３ｃ、１３ｄは、表示中の各項目、値をクリアして１つ前の画面に戻るためのクリアキーとしても利用される。
設定キー１４は、設定項目がある表示画面において設定された項目を確定させ、次の設定項目、次の表示画面に遷移させるためのキーとしても利用される。
この操作部１３の各キー操作により、各ユーザ（測定対象）の基礎情報（身長、性別、生年月日）の入力、ユーザの選択、各測定仕様の選択等の各種選択が行われる。
さらに、この操作部１３の各キー操作により、本実施形態に係わる測定モード（第１モード、第２モード）の設定が行われる。
【００２０】
この操作部１３の各キー操作により選択可能な測定仕様としては、体重を量る測定仕様の他、たとえば、荷物の重量を測定する荷物仕様、登録済みユーザ以外の者が体重を測定するゲスト仕様、測定対象（測定者）を自動で認識する自動認識仕様等があり、測定を行うユーザは適宜を選択したうえで測定を行う。
【００２１】
本実施形態における自動認識仕様は、体重と生体インピーダンスを測定し両測定値と測定履歴との比較から測定者を自動認識して各種生体情報を体重と併せて表示すると共に、今回の測定値を認識した測定者の履歴として保存する。
なお、操作部１３の操作により、デフォルトの測定仕様を自動認識仕様に設定しておき、デフォルトの測定仕様から他の仕様に変更されると、変更後の仕様を示す仕様情報が不揮発メモリ４０に保存され、所定時間の経過などの各仕様に応じた条件を満たした場合にデフォルト仕様に復帰する構成にしてもよい。
【００２２】
また、生体情報測定装置１は、測定完了後、操作部１３の無操作状態が所定時間（たとえば１分）経過すると省電力状態に移行し、表示部１１の液晶ディスプレイがオフ状態となるように構成されている。この無操作状態はタイマーにより検出され、このタイマーは操作部１３の操作がされる毎にリセット（スタート）される。
省電力状態において、操作部１３のいずれかのキーが押下されると、省電力状態が解除され、生態情報測定装置１を正確に且つ安定して再現するための調整（キャリブレーション）が開始されるように構成されている。
【００２３】
電源スイッチ（不図示）は、電源から表示装置１１や後述する制御部等の各部に対するすべての電源供給を切断するスイッチであり、電源スイッチの操作により電源ＯＮ状態と電源オフ状態とが切り替わる。
【００２４】
重量センサ１５Ｌｆ、１５Ｌｂ、１５Ｒｆ、１５Ｒｂは、生体情報測定装置１に乗った測定者の体重を測定するためのセンサであり、本実施形態では４つのロードセルにより構成されている。
各重量センサ１５からは、測定者の重量値に対応する物理量がそれぞれ出力され、各出力値に基づいて測定者の体重が算出されるようになっている。
重量センサ１５の各検出値から算出された測定者の体重は、当該測定者に対して登録された基礎情報と併せて、体組成であるＢＭＩ（Ｂｏｄｙ  Ｍａｓｓ  Ｉｎｄｅｘ）と基礎代謝の算出に使用される。また、測定者の体重は、測定用電極１２の検出値から算出された生体インピーダンス、および基礎情報とともに、体組成である体脂肪率、内蔵脂肪レベル（率）、身体年齢、骨レベル、骨格筋レベル、水分量が算出される。
【００２５】
各重量センサは、測定の際に加わる荷重を１０ｇ単位で測定する。
なお、本実施形態では、後述する測定結果履歴への保存、および体脂肪率等の生体情報の算出には、１０ｇ単位で算出された体重が使用され、表示装置１１には四捨五入された１００ｇ単位で表示されるが、すべて１０ｇ単位とし、またすべて１００ｇ単位とすることも可能である。
但し、以下の説明では簡略化するため、保存、算出、表示において１００ｇ単位である場合について説明することとする。
【００２６】
プッシュスイッチ（不図示）は、たとえば装置本体１０の裏側、前方の左右２カ所（に配設されており、測定者が生体情報測定装置１に乗ったこと（ステップオン）を検出するスイッチである。
生体情報測定装置１が省電力状態にある場合において、プッシュスイッチによりステップオンが検出されると、省電力状態から復帰し測定が開始される。
なお、プッシュスイッチの配設場所は、装置本体１０の裏側において、後方左右に配置するようにしてもよく、あるいは、前後左右の４カ所に配置するようにしてもよい。
【００２７】
重量センサ１５、測定用電極１２、および、プッシュスイッチは、いずれも測定時刻を検出する手段とすることが可能である。本実施形態では、全てを測定時刻検出手段の一部として機能させている。
すなわち、本実施形態では、測定者が生体情報測定装置１に足を乗せたこと（測定の開始）を重量センサ１５、測定用電極１２、プッシュスイッチで検出し、その検出時の時刻を測定時刻として検出する。
なお、測定時刻は同一基準であれば良く、測定開始時刻以外に、体重と生体インピーダンスの測定が完了した時刻や、測定者が生体情報測定装置１から降りた時刻などを採用することが可能である。
測定時刻については、後述する日時情報計測・記憶部２８および時計２９から出力される時刻による。
【００２８】
図２は本実施形態が適用される生体情報測定装置１の機能ブロック図である。
図２は、生体情報測定装置１の機能ブロックの一例を表したものである。
生体情報測定装置１は、測定結果に基づく生体情報の算出とその表示制御、測定結果履歴への保存、入力操作に対応する制御等の装置全体を各種制御する制御部２０を備えている。
この制御部２０には、表示部１１、操作部１３、Ａ／Ｄ（アナログ／デジタル）変換部３１、３２、アンテナ３６、記憶装置として機能する不揮発メモリ４０が接続されている。
【００２９】
制御部２０は、プログラムに従って各種演算処理を行うＣＰＵ、プログラムが保存されるＲＯＭ（Ｒｅａｄ  Ｏｎｌｙ  Ｍｅｍｏｒｙ）、作業領域としてのＲＡＭ（Ｒａｎｄｏｍ  Ａｃｃｅｓｓ  Ｍｅｍｏｒｙ）等を備えており、各種記憶媒体に保存された測定処理プログラムや登録処理プログラムに従って、生体情報の算出、表示、保存等の各処理を行うと共に、本実施形態における各種処理を行う。
これらの各処理をプログラムに従って行う機能ブロックとして、制御部２０は、体重算出部２１、生体インピーダンス算出部２２、乗降判定部２３、体組成算出部２４、測定者識別部２５、測定結果記憶制御部２６を備えている。
【００３０】
体重算出部２１は各重量センサ１５で検出され、Ａ／Ｄ変換部３１でデジタル信号に変換された各重量値から、測定者の体重を算出する。具体的には、デジタル信号に変換された各重量値を合計することで測定者の体重が算出される。
体重算出部２１は、算出した測定者の体重を体組成算出部２４に供給する。
本実施形態では、体重算出部２１は、１回の測定で体重の算出を行う通常の測定方法である第１モード算出手段２１１、および、２回の測定を行い、その差分を測定体重とする第２モード算出手段２１２を有する。
【００３１】
生体インピーダンス算出部２２は、各測定用電極１２で検出され、Ａ／Ｄ変換部３２でデジタル信号に変換された測定用電極１２Ｌと測定用電極１２Ｒ間の抵抗値（左足−体−右足間の抵抗値）から、測定者の生体インピーダンスを算出する。生体インピーダンスの算出については、公知の計算方法が採用され、他の体組成についても公知の計算式や統計データにもとづいて算出される。
生体インピーダンス算出部２２は、算出した測定者の生体インピーダンスを体組成算出部２４に供給する。
【００３２】
乗降判定部２３は、プッシュスイッチから供給される信号（スイッチのオン信号）に基づいて、測定者のステップオンを判定する。上述したように、省電力状態においてステップオンが検出されると、省電力状態が解除され測定が開始される。
【００３３】
体組成算出部２４は、体重算出部２１から供給される体重、生体インピーダンス算出部２２から供給される生体インピーダンス、および、指定されたユーザ番号または測定者識別部２５（後述）で識別されたユーザ番号に対応して測定者情報記憶部４１（後述）に記録されたユーザ情報（たとえば、性別、身長、生年月日から算出した年齢）を使用して、測定者の各体組成を算出する。
測定された体重、および、算出された各体組成については表示部１１に表示される。
【００３４】
測定者識別部２５は、今回の測定により得られた体重、生体インピーダンス、測定時刻と、測定結果履歴データ４３（後述）に保存されているユーザ毎の測定履歴とを比較することで、測定者の識別、即ち、測定者のユーザ番号の特定を行うことで測定者の認識を行う。
具体的には、体重、生体インピーダンスの両測定値と履歴値との差分が共に所定範囲内あるユーザを認識候補とする。
【００３５】
また、測定者識別部２５は、認識候補が複数存在する場合、差分が所定範囲内である履歴数が最多の認識候補（ユーザ）を測定者と認識する。履歴数が最多の認識候補が複数いる場合には、当該各認識候補の生体インピーダンスについての差分が最小の認識候補を測定者と認識する。生体インピーダンスについての差分が最小か否かについては、最新の履歴について判断する場合と、該当する履歴毎の差分の平均値により判断する場合のいずれでもよい。
一方、認識候補がいない場合には、今回の測定者は登録済みユーザ以外のゲストであると認識する。
【００３６】
測定結果記憶制御部２６は、今回の測定結果（体重、生体インピーダンス）、および測定時刻を、測定者識別部２５で識別した測定者のユーザ番号、または、測定前に指定された測定者のユーザ番号に対応するユーザ１履歴４３１〜ユーザ４履歴４３４（後述）に保存する。
【００３７】
年齢算出部２７は、後述する測定者情報記憶部４１に保存された年齢特定情報と、測定時点の時間などから、測定者の測定時の年齢を算出する。
【００３８】
日時情報計測・記憶部２８および時計２９は、日時情報として現在の日時を年月日時分秒の単位で計測する測定時刻検出手段の一部として機能する。そして、本実施形態では、日時情報は、測定結果記憶制御部２６へ所定タイミング毎に供給される。
なお、本実施形態では、日時情報計測・記憶部２８および時計２９が制御部２０に内蔵される構成にしたが、外部にあって接続され、計測した日時情報を制御部２０に供給する構成にしてもよい。
この場合は、日時情報については、上述したような所定タイミング毎に供給するように構成する他に、制御部２０からの要求に応じて供給する構成にしてもよい。
【００３９】
Ａ／Ｄ変換部３１は、各重量センサ１５から入力されるアナログの検出値を、それぞれデジタル値に変換して制御部２０に供給する。
Ａ／Ｄ変換部３２は、各測定用電極１２から入力されるアナログの検出値を、それぞれデジタル値に変換して制御部２０に供給する。
【００４０】
通信制御部３４およびアンテナ３６は、生体情報測定装置１による各種測定結果を有線または無線により外部に出力するための出力手段として機能している。
通信制御部３４による有線による場合の例としては、たとえば、ＵＳＢメモリ等の各種記憶媒体への出力、各種ケーブルを介してのパソコンや携帯端末等の外部機器への出力が可能である。
一方、通信制御部３４による無線通信による測定結果の出力方法として、ブルートゥース（Ｂｌｕｅｔｏｏｔｈ（登録商標）、赤外線通信、ＮＦＣ（登録商標）、ＺｉｇＢｅｅ（登録商標）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（登録商標））、Ｗｉ−Ｆｉ（Ｗｉｒｅｌｅｓｓ  Ｆｉｄｅｌｉｔｙ（登録商標））等の近距離無線通信、３Ｇ方式、４Ｇ方式等の各種無線通信が使用可能である。
本実施形態の通信制御部３４では、これら有線、無線による各種通信のうち、１または複数の方式によるデータの入出力が可能に構成される。
【００４１】
ここで、たとえば、入力操作時において各入力操作画面に対応した操作案内用のガイダンス音声を出力し、また、測定完了後のビープ音を出力するような構成にする場合は、出力装置として音声出力部（不図示）を配設させてもよい。
音声出力部による音声や音については、ユーザ操作により、出力させるためのオン設定や、出力させないためのオフ設定といったように、臨機応変に変更することを可能とする。
【００４２】
不揮発メモリ４０は、各種データを保存する記憶媒体で構成され、測定者情報記憶部４１、モード記憶部（通常／差分）４２、測定結果履歴データ４３、その他のデータなどが記憶されている。
【００４３】
図３は、本実施形態が適用される生体情報測定装置１の測定者情報記憶部４１とモード記憶部４２の記憶（保存）データの内容を概念的に表した説明図である。
図３に示すように、測定者情報記憶部４１には、ユーザ（測定者）毎の基礎情報として、ユーザ番号、性別、身長、年齢特定情報が保存される。年齢特定情報は、測定時におけるユーザの年齢を算出可能な情報であればよく、登録時のユーザの年齢と登録日、生年月日等が該当する。
モード記憶部４２には、登録されているユーザが、第１モード算出手段２１１で測定するのか、それとも第２モード算出手段２１２で測定するのか、を識別する情報が記憶される。
本実施形態では、一例として、ユーザ１およびユーザ２として登録された測定者は、通常の測定方法（１回の測定）である第１モードで測定されることが、一方、ユーザ４として登録された測定者は、差分の測定方法（２回の測定）である第２モードで測定される旨が、各々記憶されている。
なお、本実施形態では、第２モードで測定される測定対象は赤ちゃんで想定しているので、測定者情報記憶部４１の性別欄には、一例として「抱っこ」と記憶される構成にしている。
【００４４】
図４は、本実施形態が適用される生体情報測定装置１の測定結果履歴データ４３を概念的に表した説明図である。
測定結果履歴データ４３は、図２や図３に示したように、登録された各ユーザのユーザ番号毎にユーザ１履歴４３１、ユーザ２履歴４３２、…が保存される。
測定結果履歴データ４３の各測定結果履歴は、測定日時（年月日時分）、体重（ｋｇ）、生体インピーダンス（Ω）が保存される。
なお、図４において、生体インピーダンス（Ｂｉｏｅｌｅｃｔｒｉｃａｌ  Ｉｍｐｅｄａｎｃｅ）はＢＩで表記している。他の図面についても同様に表記する。
【００４５】
本実施形態では、ユーザ登録可能な数が４である場合について説明しているが、５人家族を想定した５人等、測定者の認識が必要な複数であれば登録可能な人数は何人でも可能であり、無制限とすることも可能である。
また、測定結果履歴データ４３に保存する測定履歴の数は、登録ユーザ毎に最低１件ずつ最新のデータを保存すれば足りるが、その数については任意であり、本実施形態では、統計等に使用するために最大５件の測定履歴が保存され得る。
なお、本実施形態では、測定者の認識処理において最新の測定履歴（１件分）が使用される構成にしたが、これに限らず、最新の所定数（複数）を使用するように構成してもよい。あるいは、全測定履歴を使用して測定者を認識するように構成してもよい。
また、測定日時は、各測定値から得られる生体情報に基づいて各登録ユーザの健康管理用のデータとして使用する場合、たとえば、体重や体脂肪率等の経時変化をグラフ化して表示する等の場合に必要な情報として保存するが、これに限らず、検出および保存をしないようにしてもよい。特に、測定履歴として最新の１件だけ保存する場合には測定日時を保存しないように構成してもよい。
【００４６】
本実施形態の生体情報測定装置１では、図４（ａ）に示したように、モード記憶部４２に第２モードが記憶されているユーザ４に係る履歴であるユーザ４履歴４３４には、ユーザ４に関するモード記憶部４２に第２モードが記憶されている期間、２回測定の差分を算出する第２モード手段２１２が計測（測定）した測定結果が時系列にて記憶される。つまり、測定結果は、時間の経過に沿って配列されて保存される。
なお、第２モードが記憶されている場合、生体情報測定装置１は、測定者に電流を流して行う体組成の計測はせず、第２モード算出手段２１２で体重のみを計測する。
そして、生体情報測定装置１においてユーザ４のユーザ登録内容を変更する処理が実行され、ユーザ４のモード記憶部４２に第１モードが記憶されると（すなわち、第２モードから第１モードへ変更されると）、図４（ｂ）に示したように、ユーザ４のユーザ４履歴４３４には、通常の１回測定を行う第１モード手段２１１が計測した測定結果（「１２／０４  １１．８ｋｇ  ２８７Ω」）が、前回までの履歴（「１２／０３  １１．７ｋｇ  ――Ω」）の後に続けて記憶される。
このように、本実施形態では、同一ユーザについて、測定方法が変更されても、過去の（つまり、変更される前に計測していた分の）測定結果を引き継ぐことができる。
【００４７】
参考までに、モード記憶部４２がない場合は、図４（ｃ）に示したように、ユーザ４のユーザ登録内容を変更する処理が実行されると、新規登録処理として実行され、別のユーザ（ユーザ３）として登録されて、変更後（新規登録後）の測定結果はユーザ３履歴４３３に新たに記憶される。
つまり、モード記憶部４２がない場合は、測定対象（測定者）は同一ユーザであるにも係わらず、第１モード算出手段２１１による測定の結果であるユーザ３履歴４３３（「１２／０４  １１．８ｋｇ  ２８７Ω」）は、ユーザ４履歴５００に記憶されてきた第２モード算出手段２１２による測定の履歴（「１２／０３  １１．７ｋｇ  ――Ω」）の後に続けて記憶されない。そのため、過去の計測結果（履歴）を引き継ぐことができない。
【００４８】
図５は本実施形態が適用される生体情報測定装置１の表示部１１の表示画面の詳細を表した説明図である。
図５は、測定終了後における、体重と体脂肪率を表した状態の表示画面である。
表示部１１は、測定結果を表示する出力手段として機能している。
図５に示すように本実施形態の表示部１１は、一例として、第１表示部１１１から第６表示部１１６までの、６カ所の表示領域で構成されている。
第１表示部１１１と第２表示部１１２は、測定結果や入力操作における入力値が表示される領域である。
測定結果が表示される場合、第１表示部１１１には体重が表示され、第２表示部１１２には体組成算出部２４が算出した体組成の値が、所定時間（たとえば、２秒）の経過ごとに順次切り替えられながら表示される。
第２表示部１１２には、体脂肪率、ＢＭＩ、基礎代謝、骨格筋レベル、骨レベル、内臓脂肪レベル、水分量、身体年齢、体脂肪率の順に、順次表示される。
このように第２表示部１１２において、これら体組成が順次切り替え表示されている間、第１表示部１１１には体重が継続的に表示される。
【００４９】
一方、入力操作において入力値が表示される場合、日時設定やユーザの生年月日設定の入力操作において、第１表示部１１１に年が、第２表示部１１２に月日が表示される。
また、日時設定において、年月日の入力後において、第１表示部１１１に入力時刻（時、分）が表示される。
【００５０】
第１表示部１１１、第２表示部１１２は、測定値や入力値が表示されると共に、各表示内容に対応して、表示中項目の単位（ｋｇ、ｃｍ、％、Ｋｃａｌ）や、表示項目に対する補助文字（年、月、日、時、分、才、）が表示される。
図５では、測定後における測定結果として、体重（６０．８ｋｇ）と体脂肪率（１５．５％）が表示されている。
【００５１】
第３表示部１１３は、第２表示部１１２に表示されている各体組成が、標準値に対してどの程度離れているかをグラフ表示したものである。標準の３段階と、低い側の３段階、および、高い側の３段階の合計９段階のレベル表示がされる。
【００５２】
第４表示部１１４は、第１表示部１１１と第２表示部１１２に表示中の項目の項目名が表示される。図５では、第１表示部１１１の表示に対する項目名「体重」が表示され、第２表示部１１２の表示に対する項目名「体脂肪率」が表示されている。
なお、図５では表示されていないが、測定中において第４表示部１１４には「測定中」と表示される。
【００５３】
第５表示部１１５は、ユーザ番号と、性別が表示される。
第５表示部１１５に表示されるユーザ番号については、測定開始前にユーザが指定されている場合には指定されたユーザ番号が表示され、自動認識仕様の場合には測定結果から自動認識したユーザ番号が表示される。
第５表示部１１５に表示される性別には、指定または自動認識されたユーザ番号に対応して、測定者情報記憶部４１（図３）に保存されている性別に関する情報が、図５に示されるように「男」、「女」、または「抱っこ」として表示される。
【００５４】
第６表示部１１６は、生体情報測定装置１についての各種状態が表示される表示領域で、電池の残量表示、電波の受信状態等が表示される。
【００５５】
次に、以上のように構成された生体情報測定装置１による各処理の動作について説明する。
図６は本実施形態が適用される生体情報測定装置１におけるユーザ情報の設定を行うユーザ設定処理動作の全体を表したフローチャートである。
制御部２０は、測定者による操作部１３の設定キー１４（図１）の操作を受け付ける（ステップ１０）
制御部２０は、設定キー１４の操作を受け付けると、設定を行うユーザ番号の入力（すなわち、どのユーザ番号に対してユーザ設定を行おうとしているのか）を受け付ける（ステップ１５）。
制御部２０は、ユーザ番号の入力を受け付けると、測定者情報記憶部４１を参照し、測定者が入力（指定）したユーザ番号が、既にユーザ登録が設定済みの番号か否かを判断する（ステップ２０）。
測定者が入力したユーザ番号に対して、他のユーザが設定（登録）されてないと判断した場合（ステップ２０；Ｎ）、制御部２０は、当該ユーザ番号に対してユーザ登録を行うユーザ新規登録処理（ステップ４０、図７で後述）を行って、ユーザ設定を完了させる。
【００５６】
一方、測定者が入力したユーザ番号に対して、既に、他のユーザが設定（登録）されていた場合（ステップ２０；Ｙ）、制御部２０は、当該ユーザ番号に設定されているユーザ登録情報を変更あるいは削除するかの選択を受け付ける（ステップ２５）。
当該ユーザ番号に設定されているユーザ登録情報を変更する選択を受け付けると（ステップ２５；変更）、制御部２０は、ユーザ登録内容処理（ステップ３０、図８で後述）を行ってユーザ設定を完了させる。
【００５７】
一方、当該ユーザ番号に設定されているユーザ登録情報を削除する選択を受け付けると（ステップ２５；削除）、当該ユーザ番号に登録されている内容（測定者情報記憶部４１やモード記憶部４２に記憶している、該当するユーザ番号の内容）を削除する旨の確認画面を表示部１１に表示する（ステップ５０）。
そして、制御部２０は、当該ユーザ番号に登録されている内容を削除する処理をそのまま実行するか、あるいは削除する処理をキャンセルするかを、測定者に確認させるための画面を表示部１１に表示する（ステップ５５）。
次に、制御部２０は、測定者により、当該ユーザ番号に登録されている内容を削除する処理の実行が選択されたか否かを判断する（ステップ６０）。
測定者により、当該ユーザ番号に登録されている内容を削除する処理の実行が選択されたと判断した場合（ステップ６０；Ｙ）、制御部２０は、測定者情報記憶部４１やモード記憶部４２において当該ユーザ番号に対応させて記憶していた登録内容を削除して（ステップ６５）、ユーザ設定を完了する。
一方、測定者により、当該ユーザ番号に登録されている内容を削除する処理の実行が選択されなかった場合（ステップ６０；Ｎ）、制御部２０は、測定者情報記憶部４１やモード記憶部４２において当該ユーザ番号に対応させて記憶していた登録内容を削除せずにユーザ設定を完了する。
【００５８】
次に、ユーザの新規登録処理（図６、ステップ４０）動作の詳細について説明する。
図７は、本実施形態が適用される生体情報測定装置１におけるユーザ情報の新規登録処理動作の一例を表したフローチャートである。
なお、本実施形態では、このユーザの新規登録処理は、測定者が初めて計測を行うユーザ設定（登録）時に行われる。
また、本実施形態では、ユーザ番号１および２には単独で測定可能なユーザが、一方、ユーザ番号４には単独で測定されることができないユーザ（赤ちゃん）が登録される構成を説明する。なお、後者（単独で測定されることができないユーザ）の場合、実際に生体情報測定装置１に対してユーザ登録のための入力を行うのは、当該ユーザ（赤ちゃん）ではない別の代理人（測定者代理）であることが考えられるが、本実施形態では、測定者代理も測定者に表現を統一して説明する。
【００５９】
制御部２０は、ステップ２０で測定者が入力したユーザ番号に対して他のユーザが設定されてないと判断すると、当該ユーザ番号に対して、測定者による操作部１３の各キー（図１）の操作を通して入力される測定者の生年月日を受け付ける（ステップ１０）。受け付けた生年月日の情報は、当該ユーザ番号４と対応させて測定者情報記憶部４１に記憶される。
測定者情報記憶部４１に生年月日を記憶すると、制御部２０の年齢算出部２７が、当該生年月日と、日時情報計測・記憶部２８および時計２９から取得する日時情報とを利用して、測定者の年齢を算出する（ステップ４１５）。
次に、制御部２０は、測定モードの選択を受け付ける（ステップ４２０）。つまり、１回の測定結果を利用する第１モード（通常算出）で測定するのか、２回の測定結果を利用する第２モード（差分算出）で測定するのか、を選択させ、選択結果をモード記憶部４２に保存する。これにより、測定者を測定する測定方法が定められる。
なお、本実施形態では、ステップ４２０にて測定モードを選択させる構成にしたが、代わりに、測定者の性別を選択させる構成にしてもよい。
たとえば、選択肢を「男」「女」「赤ちゃん」（あるいは「抱っこ」や「その他」など）とし、「男」あるいは「女」が選択された場合は第１モード算出手段２１１による計測方法が、一方、「赤ちゃん」が選択された場合は第２モード算出手段２１２による計測方法が、各々紐付けられる（対応して記憶される）構成にすればよい。
【００６０】
次に、制御部２０は、測定者の身長に関する数値の入力を受け付け、当該ユーザ番号４と対応させて測定者情報記憶部４１に保存（記憶）する（ステップ４２５）。
次に、制御部２０は、測定者情報記憶部４１やモード記憶部４２に保存し、ユーザ４に対応するユーザ情報として登録しようとしている「生年月日」、「身長」、「測定モード」、生年月日から計算した「年齢」を表示部１１表示し、登録内容を測定者に確認させる（ステップ４３０）。
登録内容について間違いがあれば（ステップ４３０；ＮＧ）、制御部２０は、ステップ４１０へ戻って再入力を促す。
登録内容について間違いがなければ（ステップ４３０；ＯＫ）、制御部２０は、０Ｋｇ補正（キャリブレーション）を行う（ステップ４３５）。
【００６１】
続いて、制御部２０は、測定方法が第２モードか否か（つまり、モード記憶部４２の第２モードに、そうであることを示す「１」のフラグが立っているか否か）を確認する（ステップ４４０）。
測定方法が第２モードである場合（ステップ４４０；Ｙ）、制御部２０の第２モード算出手段２１２が測定を行う（ステップ４７０）。すなわち第２モード算出手段２１２は、測定者代理が測定者（赤ちゃん）を抱っこした状態で、４つの重量センサ１５からＡ／Ｄ変換部３１を介して供給される重量値を合計することで、測定者代理および測定者の合計体重を算出する１回目の計測を行う（ステップ４７０）。
次に、制御部２０は、測定者（赤ちゃん）を生体情報測定装置１の装置本体１０から下ろすことを促す画面を表示部１１に表示する（ステップ４７５）。
そして、制御部２０の第２モード算出手段２１２は、測定者代理のみの体重を測定する２回目の計測を行う（ステップ４８０）。
２回目の計測を終えると、制御部２０は、ステップ４７０で計測した体重とステップ４８０で計測した体重との差分の重量（数値）を、測定者（赤ちゃん）の体重としてユーザ４の測定結果履歴データ４３に保存する（ステップ４９０）。
なお、上記構成にかえて、ステップ４７０の１回目の計測にて測定者代理のみの体重を計測し、且つ、ステップ４８０の２回目の計測にて測定者代理および測定者（赤ちゃん）の合計体重を計測し、当該計測結果の差分を測定者（赤ちゃん）の体重とする構成にしてもよい。その場合は、ステップ４７５で、制御部２０は、測定者（赤ちゃん）を抱きかかえることを促す画面を表示部１１に表示する構成にすれば良い。
つまり、測定者代理が測定者を抱っこした状態で測定する順番は１回目でも２回目でも問題はなく、いずれの場合にしても、測定した結果の体重が重い方から軽い方の体重の差分を測定者（赤ちゃん）の体重とすればよい。あるいは、１回目と２回目の測定値の絶対値を測定者（赤ちゃん）の体重としてもよい。
なお、第２モードが選択されている場合には、生体インピーダンスの計測もしくは記録は行われない。
【００６２】
一方、測定方法が第２モードではない場合（ステップ４４０；Ｎ）、制御部２０の第１モード算出手段２１１が測定を行う。すなわち第１モード算出手段２１１は、４つの重量センサ１５からＡ／Ｄ変換部３１を介して供給される重量値を合計することで測定者の体重を算出する（ステップ４４５）。
次に、制御部２０は、生体インピーダンス（ＢＩ）を測定する（ステップ４５０）。
すなわち、制御部２０は、測定用電極１２からＡ／Ｄ変換部３２を介して供給される各抵抗値から測定者の生体インピーダンスを算出（計測）する。
そして、制御部２０は、指定された測定者（ユーザ）に対する測定履歴（ユーザ情報）として、今回の測定結果を保存する。すなわち、制御部２０は、指定された測定者のユーザ番号に対応する測定結果履歴データ４３に、体重、生体インピーダンス、測定日時を保存する（ステップ４５５）。
【００６３】
また制御部２０は、測定結果の保存と並行して、測定結果を表示部１１に表示し（ステ
ップ４６０）、処理を終了する。
測定結果の表示において、制御部２０は、図５に例示したように、測定した体重の値を第１表示部１１１に、体重と生体インピーダンス、ユーザ情報から算出した体脂肪率の値を第２表示部１１２に、体脂肪率のレベル表示を第３表示部１１３に表示する。
また、第４表示部１１４には、第１表示部１１１と第２表示部１１２に表示中の項目の項目名を表示し、第５表示部１１５には、確定した測定者のユーザ番号（「１」）と性別（「男」）が表示される。
なお、第２表示部１１２は、最初に体脂肪率の値が表示され、その後所定時間（本実施形態では２秒）毎に、体脂肪率、ＢＭＩ、基礎代謝、骨格筋レベル、骨レベル、内臓脂肪レベル、水分量、身体年齢、体脂肪率の順に、順次表示される。第２表示部１１２の切り替えに合わせて第３表示部１１３のレベル表示、と第４表示部１１４の項目名も切り替えて表示される。
第２表示部１１２に表示する、体脂肪率等の各体組成については、体重、生体インピーダンス、基礎情報から算出され、第三表示部１１３のレベル表示については当該表示項目の統計等から求めた標準値を基準に算出される。
【００６４】
次に、ユーザ情報の登録内容変更処理（図６、Ｓ３０）動作の詳細について説明する。
図８は、本実施形態が適用される生体情報測定装置１における、既に登録されているユーザ情報の登録内容を変更する処理動作の一例を表したフローチャートである。
まず、制御部２０は、測定者からの入力により、指定したユーザ番号に対する変更情報（どの情報を変更するのか）の選択を受け付ける（ステップ３００）。
生年月日に関する情報に対する変更が選択された場合（ステップ３００；生年月日）、制御部２０は、生年月日を入力（変更）する画面を提示して測定者の生年月日に関する数値の入力操作を受け付けて、当該ユーザ番号と対応させて測定者情報記憶部４１に保存する（ステップ３１０）。さらに、上述したように年齢を算出し、ユーザ登録内容変更処理を終了する。
一方、身長に関する情報に対する変更が選択された場合（ステップ３００；身長）、制御部２０は、身長を入力（変更）する画面を提示して測定者の身長に関する数値の入力操作を受け付けて、当該ユーザ番号と対応させて測定者情報記憶部４１に保存し（ステップ３２０）、その後、ユーザ登録内容変更処理を終了する。
【００６５】
一方、測定モードに関する情報への変更が選択された場合（ステップ３００；測定モード）、制御部２０は、測定モードを選択（変更）する画面を表示部１１に提示し、測定者の測定モードに関する変更操作を受け付け、受け付けた測定モードをモード記憶部４２に保存する（ステップ３３０）。
次に、制御部２０は、測定者から受け付けた変更が第２モードから第１モードへの変更か否かを判断する（ステップ３３５）。本実施形態では、第２モードから第１モードへの変更は、たとえば、単独で体重を計測できなかった赤ちゃんが、成長したことで自分で立って体重を計測できるようになった場合に起こり得る。
そして、測定者から受け付けた変更が第２モードから第１モードへの変更であると判断する（ステップ３３５；Ｙ）と、制御部２０は、さらに、性別に関して「男」か「女」かの選択を受け付け、それまで保存していた「抱っこ」に代えて、選択結果（「男」または「女」）を測定者情報記憶部４１に保存する。
続けて、制御部２０は、第２モードの測定では不必要であったが第１モードの測定では必要になる体組成情報（生体インピーダンス）を体重と共に登録する旨の案内や、当該体組成情報の取得に必要な追加情報を測定するための指示（たとえば、「靴下を脱いで下さい」や「背筋を伸ばして下さい」など）などを、表示部１１に提示して（ステップ３４０）、測定者に周知させる。
そして、制御部２０は、０Ｋｇ補正（キャリブレーション）を実施し、第１モード算出手段２１１で測定者の体重を計測し（ステップ３４１）、さらに生体インピーダンスを計測して（ステップ３４２）、ユーザ登録情報（測定結果履歴データ４３）を更新する。
このとき、制御部２０は、図４（ｂ）に示したように、第２モードで測定していた前回までの履歴（最終履歴が「１２／０３  １１．７Ｋｇ  ――Ω」）に続けて、第１モードで計測した新しい測定結果（「１２／０４  １１．８Ｋｇ  ２８７Ω」）を測定結果履歴データ４３に保存する（ステップ３４３）。
そして、保存した計測結果を表示部１１に表示（ステップ３６０）して、処理を終了する。
【００６６】
このように、本実施形態の生体情報測定装置１では、測定方法（測定モード）の変更前と変更後の測定結果を、時系列にて保存する。つまり、測定結果は、時間の経過に沿って配列されて記憶される。
つまり、測定者（ユーザ４に登録されている測定対象）が自立して計測できないうちは第２モードの計測方法で計測（差分算出）し、その後、状況に応じて測定方法に係るユーザ登録を第２モードから第１モードへ変更して計測（通常算出）し、その計測結果をユーザ４の計測履歴データに保存する。
この構成により、本実施形態では、同一人物の体重変化（履歴）を、同じユーザ番号で一貫して管理することができる。本実施形態のように測定対象が生後間もない赤ちゃんであれば、誕生から成人に至るまでの体重の変化を手軽に一貫して管理することができる。
【００６７】
ステップ３３５に戻って説明を続ける。
測定者から受け付けた変更が第２モードから第１モードへの変更ではない判断する（ステップ３３５；Ｎ）と、制御部２０は、さらに、測定者から受け付けた変更が第１モードから第２モードへの変更であるか否かを判断する（ステップ３５０）。この変更は、たとえば、単独で体重を計測できていた測定者が、怪我や病気などにより単独で体重を測定することができなくなった場合に起こり得る。
測定者から受け付けた変更が第１モードから第２モードへの変更ではない場合（ステップ３５０；Ｎ）、制御部２０は、測定者情報記憶部４１に保存している性別に関する情報の変更を受け付ける画面を表示部１１に提示し、変更を受け付け、受け付けた情報を測定者情報記憶部４１に保存し、ユーザ登録内容変更処理を終了する。
【００６８】
一方、測定者から受け付けた変更が第１モードから第２モードへの変更であった場合（ステップ３５０；Ｙ）、制御部２０の第２モード算出手段２１２が測定を開始する（ステップ３５１）。この測定に関しては、ステップ４７０で説明した測定方法と同じである。すなわち、測定者代理および測定者の合計体重を算出する１回目の計測を行う。
次に、制御部２０は、測定者（赤ちゃん）を生体情報測定装置１の装置本体１０から下ろすことを促す画面を表示部１１に表示する（ステップ３５２）。
そして、制御部２０の第２モード算出手段２１２は、測定者代理のみの体重を測定する２回目の計測を行う（ステップ３５３）。
２回目の計測を終えると、制御部２０は、ステップ３５１で計測した体重とステップ３５３で計測した体重との差分の重量（数値）を算出する（ステップ３５４）。
そして、制御部２０は、算出した重量を測定者（赤ちゃん）の体重としてユーザ４の測定結果履歴データ４３に保存して（ステップ３５５）、ユーザ登録内容変更処理を終了する。
なお、上記構成にかえて、ステップ３５１の１回目の計測にて測定者代理のみの体重を計測し、且つ、ステップ３５３の２回目の計測にて測定者代理および測定者（赤ちゃん）の合計体重を計測し、当該計測結果の差分を測定者（赤ちゃん）の体重とする構成にしてもよい。
【００６９】
本実施形態では、体重と生体インピーダンスの両方の測定履歴を比較して行う測定者自動認識は、生体インピーダンスを計測しない第２モードで登録されているユーザについては行われない。
そこで、測定方法が第２モードに設定されているユーザを指定して測定する（ステップ２０）測定処理動作について説明する。つまり、第２モードでの計測が２回目以降の場合がこの処理手順になる。
図９は、本実施形態が適用される生体情報測定装置１における、第２モードに設定されたユーザを指定して体重を測定する測定処理動作の一例を表したフローチャートである。
【００７０】
制御部２０は、操作部１３のいずれかのキーが押下されると、省電力状態を解除して、生態情報測定装置１を正確に且つ安定して再現するためのキャリブレーション（０Ｋｇ補正）を行う（ステップ２００）。
次に、制御部２０は、操作部１３の操作により測定を行おうとするユーザ番号の選択があったか否かを判断する（ステップ２０５）。
ユーザ番号の選択がなかった場合（ステップ２０５；Ｎ）、制御部２０は、自動認識による測定処理（ステップ１００）へ移行する。
【００７１】
一方、ユーザ番号の選択があった場合（ステップ２０５；Ｙ）、制御部２０は、当該選択されたユーザ番号に対応するモード記憶部４２を参照し、測定モードが第２モードに設定（登録）されているか否かを確認する（ステップ２１０）。
測定モードが第２モードに設定（登録）されていない場合（ステップ２１０；Ｎ）、制御部２０の第１モード算出手段２１１が体重を測定する（ステップ２１５）。
さらに生体インピーダンスを計測して（ステップ２２０）、ユーザ登録情報（測定結果履歴データ４３）を更新して保存し（ステップ２２５）、保存した計測結果を表示部１１に表示して（ステップ２５５）、処理を終了する。
【００７２】
一方、測定モードが第２モードに設定（登録）されていた場合（ステップ２１０；Ｙ）、制御部２０の第２モード算出手段２１２が、まず１回目の体重を測定する（ステップ２３０）。この測定に関しては、ステップ４７０などで説明した測定方法（差分算出）と同じである。すなわち、第２モード算出手段２１２は、測定者代理および測定者の合計体重を算出する１回目の計測を行う。
次に、制御部２０は、測定者（赤ちゃん）を生体情報測定装置１の装置本体１０から下ろすことを促す画面を表示部１１に表示する（ステップ２３５）。
そして、制御部２０の第２モード算出手段２１２は、測定者代理のみの体重を測定する２回目の計測を行う（ステップ２４０）。
２回目の計測を終えると、制御部２０の第２モード算出手段２１２は、ステップ２３０で計測した体重とステップ２４０で計測した体重との差分の重量（数値）を算出する（ステップ２４５）。
そして、制御部２０は、算出した重量を測定者（赤ちゃん）の体重としてユーザ４の測定結果履歴データ４３に保存し（ステップ２５０）、保存した計測結果を表示部１１に表示して（ステップ２５５）、処理を終了する。
なお、上記構成にかえて、ステップ２３０の１回目の計測にて測定者代理のみの体重を計測し、且つ、ステップ２４０の２回目の計測にて測定者代理および測定者（赤ちゃん）の合計体重を計測し、当該計測結果の差分を測定者（赤ちゃん）の体重とする構成にしてもよい。
【００７３】
次に、ステップ２０５にて、ユーザ番号の選択がなかった場合（ステップ２０５；Ｎ）に制御部２０が行う、自動認識による測定処理（Ｓ１００）動作の詳細について説明する。なお、自動認識処理とは、測定した体重、生体インピーダンスとその許容範囲を使用して測定者を自動で識別する処理である。
図１０は、本実施形態が適用される生体情報測定装置１における、自動認識による測定処理動作の一例を表したフローチャートである。
なお、本実施形態では、この自動認識処理は、ユーザ登録者（つまり、未登録のゲストではない）であり、且つ、モード記憶部２１に第１モードが設定されているユーザが候補となる。すなわち、第２モードが設定されているユーザは自動認識の際のユーザ候補としない。
【００７４】
この測定者識別処理において制御部２０は、本実施形態の測定者識別処理では、測定結果の各要素（体重、ＢＩ）を、登録済み各ユーザの各履歴情報と比較して、測定者を認識する。
生体情報測定装置１が省電力状態にある場合において、プッシュスイッチにより、測定者が生体情報測定装置１に乗ったこと（ステップオン）が検出されると、省電力状態から復帰し測定が開始される（ステップ１０１）。
制御部２０は、体重を計測し（ステップ１０５）、生体インピーダンス（ＢＩ）を計測する（ステップ１１０）。
次に、制御部２０は、測定結果履歴データ４３を参照し、測定した体重と履歴データの体重との差分が所定範囲内（たとえば、±２ｋｇ以内）であり、且つ、測定したＢＩと履歴データのＢＩとの差分が所定範囲内（たとえば、±１００Ω以内）である登録済みユーザを認識候補とし、認識候補から測定者を選出する（ステップ１１５）。
なお、モード記憶部４２に第２モードが設定されているユーザは、測定結果履歴データ４３に生体インピーダンス（ＢＩ）に関する履歴データが保存されていないので、候補対象にはならない。
認識候補が複数存在する場合、制御部２０は、体重とＢＩの両差分が共に所定範囲内である測定履歴数が最も多い認識候補（ユーザ）を測定者と認識する。測定履歴数が最多の認識候補が複数いる場合、制御部２０は、当該各認識候補における生体インピーダンスの差分が最小である認識候補を測定者と認識（選出）する。生体インピーダンスについての差分が最小か否かについて、本実施形態では、最新の履歴について判断するが、該当する履歴毎の差分の平均値により判断するようにしてもよい。
【００７５】
測定者の識別が完了した後、制御部２０は、自動認識した測定者に対応するユーザ番号を表示部１１の第５表示部１１５（図５）に表示する（ステップ１２０）。これは、測定者（候補）を確認する処理であって、測定を試みている測定者に、表示されたユーザ番号を確認させ、合っている場合には右キー１３ｄを押下、間違っている場合には上キー１３ａか下キー１３ｂで表示されているユーザ番号を変更した後に右キー１３ｄを押下させることで測定者を確定する。
制御部２０は、測定者が右キー１３ｄを押した際に第５表示部１１５に表示しているユーザ番号から、測定者を確定させる。
なお、制御部２０は、自動識別した測定者（ユーザ番号）を第５表示部１１５に表示した後、所定時間内に操作部１３の操作がされない場合、および、測定者が生体情報測定装置１から降りた場合には、表示中のユーザ番号の測定者に確定する。
【００７６】
続いて、制御部２０は、ステップ１２０で表示した自動識別した測定者のユーザ番号（候補者番号）が、別のユーザ番号に変更されたか否かを判断する（ステップ１２５）。
別のユーザ番号に変更された場合（ステップ１２５；Ｙ）、制御部２０は、候補者のユーザ番号を変更し（ステップ１３０）、変更したユーザ番号に対応する測定結果履歴データ４３に、体重、生体インピーダンス、測定日時を保存するとともに、今回の測定結果を表示して（ステップ１３５）、自動認識による測定処理を終了する。
一方、ユーザ番号に変更がなかった場合（ステップ１２５；Ｎ）、制御部２０は、今回の測定結果を表示する（ステップ１３５）とともに、確定した測定者のユーザ番号に対応する測定結果履歴データ４３に、体重、生体インピーダンス、測定日時を保存し、自動認識による測定処理を終了する。
【００７７】
以上、本発明における各実施形態について説明したが、本発明は説明した実施形態や説明した変形例に限定されるものではなく、各種の変形を行うことが可能である。
たとえば、本実施形態では、上述したように、測定モード（第１モード、第２モード）を新たに設ける構成にしたが、これに限られることはない。たとえば、測定モードを新たに設けるのではなく、ユーザ登録の性別（男／女）を選択する選択肢に「抱っこ」を新たに追加して設ける構成にしてもよい。
その場合は、測定対象の状況（単独計測できる状況か否か）に合わせ、ユーザ設定を「抱っこ」から「男」／「女」のどちらかに変更できるようにする。
これにより、同じユーザ登録情報で一貫して体重の履歴を管理することができるようになる。
つまり、生体情報測定装置１は、「抱っこ」で登録されている期間は、上述したように計測した２回の測定値の差分（体重）をユーザの体重として記録する。
そして後に、登録が「男」または「女」へ変更された場合は、計測した１回の測定値（体重）を当該ユーザの体重として、「抱っこ」で測定した値に続けて記録する。
このように、測定対象が自立して計測できないうちは「抱っこ」の計測方法で計測し、その後、状況に合わせてユーザ登録の性別を「抱っこ」から「男」／「女」のどちらかに変更することで、同じユーザ登録情報で一貫して体重の履歴を管理することができるようになる。つまり、測定対象が生後間もない赤ちゃんであれば、誕生から成人に至るまでの体重の変化を、手軽に一貫して管理することができる。
【００７８】
また、たとえば、説明した実施形態では、測定モードに係わるモード情報を不揮発メモリ４０に保存する場合について説明したが、モード情報を揮発メモリ、たとえば、制御部２０のＲＡＭ（不図示）に保存するようにしてもよい。
【００７９】
あるいは、計測結果の履歴は生体情報測定装置１内に保存し、生体情報測定装置１の表示部１１に表示する場合の他、３Ｇ、４ＧやＷｉＦｉ、Ｂｌｕｅｔｏｏｔｈ（登録商標）などを経由してサーバやスマートフォンに転送・表示する構成にしてもよい。
【００８０】
あるいは、各測定モードを選択する際に、文字（言葉）にかえてイラストアイコンを表示して視覚的に判断できる構成にすることもできる。
その場合は、たとえば、通常の測定モード（第１モード）には大人のイラストが描かれたボタン（タッチパネル）を、そして、差分算出の測定モード（第２モード）には赤ちゃんのイラストが描かれたボタンを、各々対応させる構成にすればよい。
【００８１】
また、上述した実施形態では、測定方法が変化する測定対象として赤ちゃんを例にとったが、他にも、ペットや負傷者が考えられる。
【符号の説明】
【００８２】
１  生体情報測定装置
１０  装置本体
１１  表示部
１１１  第１表示部１１１
１１２  第２表示部１１２
１１３  第３表示部１１３
１１４  第４表示部１１４
１１５  第５表示部１１５
１１６  第６表示部１１６
１２  測定用電極
１３  操作部
１３ａ  上キー
１３ｂ  下キー
１３ｃ  左キー
１３ｄ  右キー
１４  設定キー
１５  重量センサ
２０  制御部
２１  体重算出部
２１１  第１モード算出手段（通常算出）
２１２  第２モード算出手段（差分算出）
２２  生体インピーダンス算出部
２３  乗降判定部
２４  体組成算出部
２５  測定者識別部
２６  測定結果記憶制御部
２７  年齢算出部
２８  日時情報計測・記憶部
２９  時計
３１  Ａ／Ｄ変換部
３２  Ａ／Ｄ変換部
３４  通信制御部
３６  アンテナ
４０  不揮発メモリ
４１  測定者情報記憶部
４２  モード記憶部（通常／差分）
４３  測定結果履歴データ
４３１  ユーザ１履歴
４３２  ユーザ２履歴
４３３  ユーザ３履歴
４３４  ユーザ４履歴
５００  ユーザ４履歴（従来）
【図１】
0006596365.tif 000002
【図２】
0006596365.tif 000003
【図３】
0006596365.tif 000004
【図４】
0006596365.tif 000005
【図５】
0006596365.tif 000006
【図６】
0006596365.tif 000007
【図７】
0006596365.tif 000008
【図８】
0006596365.tif 000009
【図９】
0006596365.tif 000010
【図１０】
0006596365.tif 000011